(57)【要約】【課題】  ドレントラップの構造簡素化とストレーナのメンテナンス作業性の向上、そしてドレンのスムーズな流れと邪魔な部分のない形状の全てを併せ持つドレントラップ用ストレーナ内蔵ユニオンの提供を図る【解決手段】  ドレントラップの配管に装着され若しくはドレントラップに直接装着されるストレーナを内蔵したユニオンであって、締結ナットと、該締結ナットに挿嵌される第一管体と、該第一管体内に挿嵌されるストレーナと、該締結ナットに螺着される第二管体と、から構成され、前記締結ナットの貫通孔へ前記第一管体を挿嵌し、且つ、第一管体の流路へ前記ストレーナを挿嵌した状態で、締結ナットと前記第二管体とを螺合する。これにより、第一管体の流入口側の端部並びにストレーナの基端部が第二管体の端部により押え付けられ保持・固定される手段を採用する。【選択図】図1
2014176830.tif 000002
【特許請求の範囲】
【請求項１】
ドレントラップの配管に装着され若しくはドレントラップに直接装着されるストレーナを内蔵したユニオンであって、
締結ナットと、該締結ナットに挿嵌される第一管体と、該第一管体内に挿嵌されるストレーナと、該締結ナットに螺着される第二管体と、から成り、
前記締結ナットは、内周面に雌ネジが成形されると共に、一方端部に前記第一管体を挿嵌可能な貫通孔を備え、該貫通孔の周縁に掛片が周設されて成り、
前記第一管体は、前記締結ナットに備えられる貫通孔の径より小径の外径を有し且つ内部に貫通するドレンの流路を備えて筒状に成形され、流入口側端部に前記締結ナットの掛片と当接した状態で貫通孔に挿嵌された第一管体を保持する環状の保持片が備えられて成り、
前記ストレーナは、前記第一管体に成形される流路の径より小径の外径を有すると共に、基端部が開口され且つ内部に中空部を有して、複数の小孔を備えた網状部材により筒状に成形され、開口された基端部に前記第一管体の流入口側端部と当接した状態で流路に挿嵌されたストレーナを掛止する環状の掛止片が備えられて成り、
前記第二管体は、前記締結ナットの内周面に成形された雌ネジと螺合すべく所要外径を有して外周面に雄ネジが成形され且つ内部に貫通するドレンの流路を備えて筒状に成形されて成り、
前記締結ナットの貫通孔へ前記第一管体を挿嵌し且つ第一管体の流路へ前記ストレーナを挿嵌した状態で締結ナットと前記第二管体とを螺合することで、第一管体の流入口側の端部並びにストレーナの基端部が第二管体の流出口側の端部により押え付けられ保持・固定されることを特徴とするドレントラップ用ストレーナ内蔵ユニオン。
【請求項２】
前記締結ナットと前記第二管体との螺合に際し、環状のパッキン材を介在させて成ることを特徴とする請求項１に記載のドレントラップ用ストレーナ内蔵ユニオン。
【請求項３】
前記第一管体の流路へ前記ストレーナを挿嵌するに際し、環状のパッキン材を介在させて成ることを特徴とする請求項１または請求項２に記載のドレントラップ用ストレーナ内蔵ユニオン。
【請求項４】
前記第一管体の流入口側の端部に、前記ストレーナの掛止片を落とし込み可能な凹溝が成形されていることを特徴とする請求項１乃至請求項３のいずれかに記載のドレントラップ用ストレーナ内蔵ユニオン。
【請求項５】
前記第一管体の流入口側の端部に、前記パッキン材を落とし込み可能な凹溝が成形されていることを特徴とする請求項１乃至請求項４のいずれかに記載のドレントラップ用ストレーナ内蔵ユニオン。
【請求項６】
前記第一管体の外周面に、雄ネジが成形されて成ることを特徴とする請求項１乃至請求項５記載のいずれかにドレントラップ用ストレーナ内蔵ユニオン。
【発明の詳細な説明】
【技術分野】
【０００１】
本発明は、ドレントラップの配管に装着され若しくはドレントラップに直接装着されるユニオンに関し、詳しくは、ドレンを外部へ排出するために用いられるドレントラップおいて、該ドレントラップの入水口に接続された配管に装着され、若しくは、該ドレントラップの入水口に直接装着される、ストレーナを内蔵したユニオンに関するものである。
【背景技術】
【０００２】
冷凍式エアドライヤ等の圧縮空気を使用する装置を作動させた際に、空気を圧縮する過程で、空気中の水蒸気がドレンとして発生することとなる。かかるドレンが装置内に溜ったままの状態に放置すると、機械性能が落ちると共に、装置・配管の腐食・劣化の原因となり、結果として機械寿命を短くすることとなるなど、多くの弊害が存在する。そこで、装置内に溜ったドレンを効果的に外部へ排出すべく、従来よりドレントラップが使用されている。かかるドレントラップには入水口と排水口が備えられており、ドレンが発生する装置のドレン排水口とドレントラップの入水口とが流水管により配管されている。そして、装置内に溜ったドレンは、ドレントラップの作用により流水管内を流水して、最終的にドレントラップの排水口から排出されることとなる。
【０００３】
ところでドレンには、空気中の塵や埃、装置の錆などの不純物が含まれており、そのまま排水することは、ドレントラップの故障だけでなく、環境にも悪影響を及ぼすこととなる。そのためストレーナを用いることで、かかる不純物をドレンから取り除いて排水する手法が採られている。かかるストレーナは、特許文献１に示すようなドレントラップ内に装備されているものが主流であり、他には特許文献２乃至１１に示すような流水管の中間にＹ型ストレーナを装着する態様が存在する。
【０００４】
特許文献１に示すようなドレントラップ内にストレーナが装備されているストレーナ内蔵型ドレントラップを用いる態様は、ドレントラップ自体の構造の複雑化を招くと共に、ストレーナに溜った不純物を除去して清掃する際に、ドレントラップを配管から外し且つ分解・解体する必要があるため、電気配線が絡むなどメンテナンス作業が非常に煩雑であるといった問題があった。
【０００５】
また、特許文献２乃至１１に示すようなＹ型ストレーナを用いた場合、該Ｙ型ストレーナは本流管の所定中間箇所から支流管が斜めに突出して延設されて成り、その支流管端部に着脱可能な蓋材が備えられ、該蓋材を外して支流管内部に備えられたストレーナを取り出すことで、該ストレーナに溜った不純物を除去することが可能であるため、上記のようなドレントラップを配管から外したり分解・解体する必要がなく、ドレントラップの構造簡素化並びにストレーナ清掃の作業性向上に資するものではあるが、当該Ｙ型ストレーナ内のドレンの流れは、本流管からいったんストレーナを備える支流管に入った後に再度本流管に戻るという複雑な経路を辿るため、ドレンのスムーズな流れを阻害する構造であると共に、支流管内にドレンの滞留が生じて、ストレーナを取り出すべく蓋材を外した際に該滞留ドレンが支流管端部から外へ吹き出すおそれがあり、さらに支流管が本流管から突出しているため、配管作業上において当該突出部分が作業の邪魔となる構造であった。
【０００６】
本出願人は、以上のような従来におけるドレントラップの構造複雑化とストレーナのメンテナンス作業性、そしてドレンの無駄な流れと滞留ドレンの発生、邪魔な突出形状といった問題点に着目し、ドレントラップの入水口に接続された配管に装着され、若しくは、該ドレントラップの入水口に直接装着されるユニオン内にストレーナを内蔵させることで、上記問題点を解決することができないものかとの着想の下、ドレントラップの構造簡素化とストレーナのメンテナンス作業性の向上、そしてドレンのスムーズな流れと邪魔な部分のない形状の全てを実現するストレーナを内蔵したユニオンを開発し、本発明における「ドレントラップ用ストレーナ内蔵ユニオン」の提案に至るものである。
【先行技術文献】
【特許文献】
【０００７】
【特許文献１】実開平１-１０８４９６号公報
【特許文献２】特開２０１１-５４１９号公報
【特許文献３】特開２００４-２３０３０５号公報
【特許文献４】特開２００２-５４１８５号公報
【特許文献５】特開２０００-３７６０８号公報
【特許文献６】特開平１１-２９０６２２号公報
【特許文献７】特開平１１-７６７１３号公報
【特許文献８】特開平８-９３９９５号公報
【特許文献９】特開平６-３０４４１８号公報
【特許文献１０】実開平６-２８５００号公報
【特許文献１１】実開昭６２-１９４４１０号公報
【発明の概要】
【発明が解決しようとする課題】
【０００８】
本発明は上記問題点に鑑み、ドレントラップの構造簡素化とストレーナのメンテナンス作業性の向上、そしてドレンのスムーズな流れと邪魔な部分のない形状の全てを併せ持つドレントラップ用ストレーナ内蔵ユニオンの提供を図ることを課題とする。
【課題を解決するための手段】
【０００９】
上記課題を解決するため、本発明にかかるドレントラップ用ストレーナ内蔵ユニオンは、締結ナットと、該締結ナットに挿嵌される第一管体と、該第一管体内に挿嵌されるストレーナと、該締結ナットに螺着される第二管体と、から成り、前記締結ナットは、内周面に雌ネジが成形されると共に、一方端部に前記第一管体を挿嵌可能な貫通孔を備え、該貫通孔の周縁に掛片が周設されて成り、前記第一管体は、前記締結ナットに備えられる貫通孔の径より小径の外径を有し且つ内部に貫通するドレンの流路を備えて筒状に成形され、流入口側端部に前記締結ナットの掛片と当接した状態で貫通孔に挿嵌された第一管体を保持する環状の保持片が備えられて成り、前記ストレーナは、前記第一管体に成形される流路の径より小径の外径を有すると共に、基端部が開口され且つ内部に中空部を有して、複数の小孔を備えた網状部材により筒状に成形され、開口された基端部に前記第一管体の流入口側端部と当接した状態で流路に挿嵌されたストレーナを掛止する環状の掛止片が備えられて成り、前記第二管体は、前記締結ナットの内周面に成形された雌ネジと螺合すべく所要外径を有して外周面に雄ネジが成形され且つ内部に貫通するドレンの流路を備えて筒状に成形されて成り、前記締結ナットの貫通孔へ前記第一管体を挿嵌し且つ第一管体の流路へ前記ストレーナを挿嵌した状態で締結ナットと前記第二管体とを螺合することで、第一管体の流入口側の端部並びにストレーナの基端部が第二管体の流出口側の端部により押え付けられ保持・固定される構成となっている。
【００１０】
また、本発明は、前記締結ナットと前記第二管体との螺合に際し、環状のパッキン材を介在させて成る構成となっている。
【００１１】
さらに、本発明は、前記第一管体の流路へ前記ストレーナを挿嵌するに際し、環状のパッキン材を介在させて成る構成となっている。
【００１２】
またさらに、本発明は、前記第一管体の流入口側の端部に、前記ストレーナの掛止片を落とし込み可能な凹溝が成形されている構成を採用し得る。
【００１３】
さらにまた、本発明は、前記第一管体の流入口側の端部に、前記パッキン材を落とし込み可能な凹溝が成形されている構成を採用し得る。
【００１４】
そしてまた、本発明は、前記第一管体の外周面に、雄ネジが成形されて成る構成を採ることもできる。
【発明の効果】
【００１５】
本発明にかかるドレントラップ用ストレーナ内蔵ユニオンによれば、従来のようにストレーナがドレントラップ内に装備されるものではなく、ユニオンにストレーナを内蔵させて、該ユニオンをドレントラップの配管に装着し、あるいは、ドレントラップに直接装着する構成を採用することで、ドレントラップの構造を簡素化することができるといった優れた効果を奏する。
【００１６】
また、本発明にかかるドレントラップ用ストレーナ内蔵ユニオンによれば、ストレーナがユニオンに内蔵されているため、溜まった塵埃等の不純物を除去すべくストレーナを清掃する際に、ドレントラップを外すことなくユニオンのみを取り外して清掃作業が可能であるため、メンテナンス作業性の向上に資するといった優れた効果を奏するものである。
【００１７】
さらに、本発明にかかるドレントラップ用ストレーナ内蔵ユニオンによれば、従来のＹ型ストレーナのような複雑な流路を成形するのとは異なり、ユニオン内部の流路が直線状に成形されているため、排出されるドレンのスムーズな流れを作り出すと共に、ユニオン内にドレンが滞留することがないといった優れた効果を奏する。
【００１８】
そしてまた、本発明にかかるドレントラップ用ストレーナ内蔵ユニオンによれば、直線的な外観形状を有して突出箇所が存在しないため、従来のＹ型ストレーナのような支流管が突出した形状と異なり邪魔な突出部分がなく、配管作業における作業性向上に資するといった優れた効果を奏するものである。
【図面の簡単な説明】
【００１９】
【図１】本発明にかかるドレントラップ用ストレーナ内蔵ユニオンの実施形態を示す断面図である。（実施例１）
【図２】本発明にかかるドレントラップ用ストレーナ内蔵ユニオンの実施形態を示す分解断面図である。
【図３】本発明にかかるドレントラップ用ストレーナ内蔵ユニオンの実施態様を示す説明図である。（実施例２）
【図４】本発明にかかるドレントラップ用ストレーナ内蔵ユニオンの実施態様を示す説明図である。（実施例３）
【発明を実施するための形態】
【００２０】
本発明にかかるドレントラップ用ストレーナ内蔵ユニオン１は、締結ナット１０の貫通孔１２へ前記第一管体２０を挿嵌し且つ第一管体２０の流路２１へ前記ストレーナ４０を挿嵌した状態で締結ナット１０と前記第二管体３０とを螺合することで、第一管体２０の流入口２５側の端部２５ａ並びにストレーナ４０の基端部４４が第二管体３０の流出口３６側の端部３６ａにより押え付けられ保持・固定されて成ることを最大の特徴とする。以下、本発明にかかるドレントラップ用ストレーナ内蔵ユニオン１の実施形態を、図面に基づいて説明する。
【００２１】
なお、本発明にかかるドレントラップ用ストレーナ内蔵ユニオン１は、以下に述べる実施形態に特に限定されるものではなく、本発明の技術的思想の範囲内、すなわち同一の作用効果を発揮できる形状や寸法、材質の範囲内で適宜変更することができる。
【実施例１】
【００２２】
図１及び図２は、本発明にかかるドレントラップ用ストレーナ内蔵ユニオン１の実施形態を示しており、図１は断面図、図２は分解断面図である。
本発明にかかるドレントラップ用ストレーナ内蔵ユニオン１は、ドレントラップ５０の配管５３に装着され若しくはドレントラップ５０に直接装着されるストレーナ４０を内蔵したユニオンであって、締結ナット１０と、該締結ナット１０に挿嵌される第一管体２０と、該第一管体２０内に挿嵌されるストレーナ４０と、該締結ナット１０に螺着される第二管体３０と、から構成されている。
【００２３】
前記締結ナット１０は、内周面に雌ネジ１４が成形されており、後述する第二管体３０の外周面に成形される雄ネジ３４と螺合可能となっている。また、該締結ナット１０の一方端部には、前記第一管体２０を挿嵌可能な貫通孔１２が備えられている。すなわち、かかる貫通孔１２は、第一管体２０の外径よりもやや大径を有して備えられる。そして、貫通孔１２の周縁には掛片１３が周設されて成り、後述する第一管体２０の保持片２３が該掛片１３に当接することで、該第一管体２０が抜け落ちない構造となっている。
【００２４】
前記第一管体２０は、前記締結ナット１０に備えられる貫通孔１２に挿嵌されるべく、該貫通孔１２の径よりやや小径の外径を有して、全体として筒状に成形されている。また、該第一管体１０の内部には、流入口２５から流出口２６まで直線状に貫通するドレンの流路２１が備えられている。該第一管体１０における流入口２５側の端部２５ａには、環状の保持片２３が備えられており、締結ナット１０の貫通孔１２に第一管体１０を挿嵌した際に、該保持片２７が締結ナット１０の掛片１３と当接して、最終的に後述する第二管体３０が締結ナット１０に螺合されることで、掛片１３と第二管体３０の流出口３６側の端部３６ａとで保持片２３が挟持され、第一管体２０が保持・固定されることとなる。
なお、第一管体２０の外周面には、必要に応じて雄ネジ２９が成形されている。かかる雄ネジを外周面に成形することで、第一管体２０の流出口２６から先に、配管３やドレントラップ５を接続することが容易となる。
【００２５】
上記第一管体２０において、流入口２５側の端部２５ａには、必要に応じて後述するストレーナ４０の掛止片４５を落とし込み可能な凹溝２７を成形する態様を採用し得る。かかる態様を採用することで、ストレーナ４０を流路２１内へ挿嵌した際に、掛止片４５が該凹溝２７に落とし込まれ、ストレーナ４０の基端部４４の端面が第一管体２０における流入口２５側の端面内に収まって、嵩張らない構造とすることができる。
【００２６】
前記ストレーナ４０は、前記第一管体２０に成形される流路２１に挿嵌されるべく、該流路２１の径より小径の外径を有して、全体として筒状に成形されている。またストレーナ４０は、基端部４４が開口され且つ内部に中空部４３を有して、複数の小孔４２を備えた網状部材により成形されている。かかるストレーナ４０における基端部４４には、環状の掛止片４５が備えられており、第一管体２０の流路２１に挿嵌した際に、該掛止片４５が第一管体２０の流入口２５側の端部２５ａと当接して、最終的に後述する第二管体３０が締結ナット１０に螺合されることで、第一管体２０の流入口２５側の端部２５ａと第二管体３０の流出口３６側の端部３６ａとで掛止片４５が挟持され、ストレーナ４０が保持・固定されることとなる。
【００２７】
前記第二管体３０は、前記締結ナット１０の内周面に成形された雌ネジ１４と螺合すべく、外周面に雄ネジ３４が成形され、かつ、締結ナット１０に螺合可能な所要外径を有して、全体として筒状に成形されている。また、該第二管体３０の内部には、流入口３５から流出口３６まで直線状に貫通するドレンの流路３１が備えられている。
【００２８】
なお、上述した各構成要素において、締結ナット１０、第一管体２０、ストレーナ４０並びに第二管体４０の材質については、金属製や樹脂製など種々考えられ、特に限定するものではないが、締結ナット１０と第一管体２０及び第二管体３０とは、同材質とすることが好ましい。
【００２９】
本発明にかかるドレントラップ用ストレーナ内蔵ユニオン１は、上記各構成要素により構成されている。具体的には、前記締結ナット１０の貫通孔１２へ前記第一管体２０を挿嵌し、かつ、該第一管体２０の流路２１へ前記ストレーナ４０を挿嵌する。これにより、第一管体２０の保持片２３が締結ナット１０の掛片１３に当接すると共に、ストレーナ４０の掛止片４５が第一管体２０の流入口２５側の端部２５ａと当接した状態となる。
【００３０】
上記状態において、最終的に締結ナット１０と前記第二管体３０とを螺合する。これにより、第一管体２０の保持片２３と流入口２５側の端部２５ａ並びにストレーナ４０の基端部４４が、第二管体３０の流出口３６側の端部３６ａにより押え付けるように挟持され、第一管体２０及びストレーナが堅固に保持・固定されることとなる。
【００３１】
ところで、上記の通り第一管体２０の流路２１へストレーナ４０を挿嵌する場合に、必要に応じて両者間に環状のパッキン材Ｐ１を介在させる態様が考え得る。かかる態様を採用することにより、構成間からのドレン漏れを防止可能となる。かかるパッキン材Ｐ１を介在させる場合に、前記第一管体２０において、流入口２５側の端部２５ａに、該パッキン材Ｐ１を落とし込み可能な凹溝２８を成形する態様を採用し得る。かかる態様を採用することで、パッキン材Ｐ１を凹溝２８に収まらせることで、嵩張りを防止することが可能となる。
【００３２】
また、上記の通り第二管体３０を締結ナット１０へ螺合する場合に、必要に応じて両者間に環状のパッキン材Ｐ２を介在させる態様も考え得る。かかる態様を採用することにより、構成間からのドレン漏れを防止可能となる。
【００３３】
以上の通り構成されるドレントラップ用ストレーナ内蔵ユニオン１は、第一管体２０の流路２１と第二管体３０の流路３１とが直線状に繋がれることとなって、ドレンが該流路２１，３１内をスムーズに流れると共に、メンテナンスのために内蔵されたストレーナ４０を取り出す際には、締結ボルト１０を回転して第二管体３０との螺合状態を解除することで、第一管体２０の流路２１から容易にストレーナ４０を取り出すことが可能である。
【実施例２】
【００３４】
図３は、本発明にかかるドレントラップ用ストレーナ内蔵ユニオン１の実施態様を示す説明図である。
図面に示すように、本発明にかかるドレントラップ用ストレーナ内蔵ユニオン１は、ドレントラップ５へドレンを流入させるための配管３における所定中間箇所に装着される態様が可能である。具体的には、配管３の所定中間箇所において、上流側の配管３に第二管体３０の流入口３５を接続すると共に、下流側の配管３には第一管体２０の流出口２６が接続されることで、ドレントラップ用ストレーナ内蔵ユニオン１が装着される態様となる。
【実施例３】
【００３５】
図４は、本発明にかかるドレントラップ用ストレーナ内蔵ユニオン１の実施態様を示す説明図である。
図面に示すように、本発明にかかるドレントラップ用ストレーナ内蔵ユニオン１は、ドレントラップ５に直接装着される態様が可能である。具体的には、ドレントラップ５へドレンを流入させるための配管３の端部に第二管体３０の流入口３５を接続すると共に、第一管体２０の流出口２６がドレントラップ５の流入口５ａに接続されることで、ドレントラップ用ストレーナ内蔵ユニオン１が装着される態様となる。
【産業上の利用可能性】
【００３６】
本発明は、ドレントラップ専用のユニオンとして開発されたものであるが、ユニオン内にストレーナが内蔵された構造を採用し、ユニオン単体として配管所定中間箇所に装着する態様のほか、ドレントラップに直接装着する態様も可能であるため、予めドレントラップに装着することで、本発明が装着されたドレントラップとしての流通も可能であって、本発明における「ドレントラップ用ストレーナ内蔵ユニオン」の産業上の利用可能性は大であると思料する。
【符号の説明】
【００３７】
１    ドレントラップ用ストレーナ内蔵ユニオン
３    配管
５    ドレントラップ
５ａ  流入口
１０    締結ナット
１２    貫通孔
１３    掛止片
１４    雌ネジ
２０    第一管体
２１    流路
２３    保持片
２５    流入口
２５ａ  端部
２６    流出口
２７    凹溝
２８    凹溝
２９    雄ネジ
３０    第二管体
３１    流路
３４    雄ネジ
３５    流入口
３６    流出口
３６ａ  端部
４０    ストレーナ
４２    小孔
４３    中空部
４４    基端部
４５    掛止片
Ｐ１    パッキン材
Ｐ２    パッキン材
【図１】
2014176830.tif 000003
【図２】
2014176830.tif 000004
【図３】
2014176830.tif 000005
【図４】
2014176830.tif 000006